(57)【要約】      （修正有）【課題】新生児の高ビリルビン血症の治療に使用できるように、目視できない身体の隠された部分まで治療する光線治療器を提供する。【解決手段】光源と、該光源からの光をガイドする導光ロッドと、前記光源を冷却する冷却ファンと、治療に必要な制御をする電子部品と、該電子部品を操作して治療内容を設定し表示できる制御表示パネル３とを装備した本体部１と、複数本の光ファイバーを束ねた導光部１１と、該光ファイバーを隣接状態に平板状に広げたパッド部１２とを備えた治療部２とからなり、透明・高柔軟な高分子ゲルを詰めた袋体で保護表層部を設けたことにより、高ビリルビン血症の新生児をパッド部上に仰向けに寝かせて載置し、背面部分にも均等な光線を全面的に照射して治療できる。【選択図】図１
2013248226.tif 000002
【特許請求の範囲】
【請求項１】
少なくとも光源と、該光源からの光をガイドする導光ロッドと、該導光ロッドの端部が臨む接続用ソケットと、前記光源を冷却する冷却ファンと、治療に必要な制御をする電子部品と、該電子部品を操作して治療内容を設定し表示できる制御表示パネルとを装備した本体部と、
複数本の光ファイバーを束ねた導光部と、該光ファイバーを隣接状態に平板状に広げたパッド部とを備えた治療部とからなり、
前記治療部における導光部の端部は、前記本体部の接続用ソケットに挿着可能な受光用プラグに形成し、
前記パッド部に位置する光ファイバーは露光処理すると共に、透明・高柔軟な高分子ゲルを詰めた袋体で保護表層部を設けたこと
を特徴とする光線治療器。
【請求項２】
前記光ファイバーは、内側がコア層で外周にクラッド層が形成された２層構造であり、前記露光処理は、クラッド層の一部を破いた構造にしたこと
を特徴とする請求項１に記載の光線治療器。
【請求項３】
前記導光部における受光用プラグの端部に透光性の断熱部材を配設したこと
を特徴とする請求項１乃至２に記載の光線治療器。
【請求項４】
前記パッド部には、使用時にパッドカバーを被せられること
を特徴とする請求項１乃至３に記載の光線治療器。
【発明の詳細な説明】
【技術分野】
【０００１】
本発明は、主として新生児の高ビリルビン血症の治療に使用される治療器で、例えば、新生児を載置するパッド部に光源から光ファイバーを介して治療光線を導入し、該パッド部から治療用光線を拡散放射させて治療を行う光線治療器に関するものである。
【背景技術】
【０００２】
この種の医療用の光線治療器としては、パッド式ではないが、光源から光ファイバーを介して治療部まで光線を導出して治療を行う複数の光線治療器が公知になっている。
第１の公知技術としては、光源を有する本体部と、該本体部から延出した導光部と、該導光部の前記本体部と反対側に連結されたハンドピースとを備え、該ハンドピース部から被照射物に光を照射する光照射装置であって、前記導光部は、光ファイバーを束ねた光バンドルファイバーで構成され、前記ハンドピース部には、その内部に前記光バンドルファイバーから照射された光の出力分布を略均一化する光均一化部材を設置したことを特徴とする光照射装置または光線治療器である（特許文献１参照）。
【０００３】
この第１の公知技術に係る光線治療器においては、人体や動物の患部に略均一化した出力の光を照射して治療できるため、赤外線による関節痛或いは褥創の加熱治療、レーザー光によるあざの治療等、均一出力分布光を必要とする医療用途に良好な治療効果を期待できる。特に、光線力学的治療（ＰＤＴ）により癌等の組織を治療する際に、均一度の高い光照射ができるため有効である。また、光バンドルファイバーにより自由な角度から照射できるため、操作性が優れているというものである。
【０００４】
また、第２の公知技術は、光源と、前記光源と光学的に接続可能な複数の第１の光ファイバと、前記複数の第１の光ファイバの各々とそれぞれ光学的に接続された複数のプローブと、前記複数の第１の光ファイバのうち、前記光源と光学的に接続される第１の光ファイバを切り換える導光制御部を備えることを特徴とする光線治療器である（特許文献２参照）。
【０００５】
この第２の公知技術に係る光線治療器においては、光源から出力された光線を、複数のプローブの各々から、出力を低下させることなく患部に照射可能となる。そのため、体の深部に対する治療を容易にし、治療時間の短縮を図ることが可能となる。また、複数のプローブからの照射を、１つの光源を用いて実施することが可能であるため、プローブと同数の光源（例えば、レーザ素子）を必要としていた従来の光線治療器に比べて、比較的安価に製造することが可能であるというものである。
【０００６】
さらに、第３の公知技術は、複数の異なる光源からの光を集光し導光する光学系と、集光し導光された光を多重搬送する光ファイバケーブルと、該光ファイバケーブルの先端からの出力光を投影する少なくとも１枚の投影レンズが設置されたハンドピースとを有することを特徴とする光線治療器である（特許文献３参照）。
【０００７】
この第３の公知技術に係る光線治療器においては、複数の光源を１つの機械にまとめ省スペース化を図ることができる。また必要に応じて複数の異なる波長領域の光を合成することができるというものである。
【先行技術文献】
【特許文献】
【０００８】
【特許文献１】特開２００５−５６６０８号公報
【特許文献２】特開２００６−２２３６６５号公報
【特許文献３】特開２００６−２１７９９０号公報
【発明の開示】
【発明が解決しようとする課題】
【０００９】
前記第１の公知技術に係る光線治療器においては、前記導光部は、光ファイバーを束ねた光バンドルファイバーで構成され、ハンドピース部には、その内部に前記光バンドルファイバーから照射された光の出力分布を略均一化する光均一化部材を設置し、目視できる患部に対して均一でスポット的な出力の光を照射して治療するというものであり、拡散した光で目視できない広い範囲、特に、新生児を寝かせた状態でマットなどに当接している部分までを治療するというものではないのである。
【００１０】
また、前記第２の公知技術に係る光線治療器においては、１つの光源から出力された光線を、時分割して複数のプローブの各々から、出力を低下させることなく体内の患部に照射可能としたものであり、特に、レーザ光を集光して体の深部まで届くようにしているので、光を拡散して広い範囲を照射して治療するというものではないのである。
【００１１】
さらに、前記第３の公知技術に係る光照射装置においては、省スペース化を図るために、複数の異なる光源を１つの機械にまとめて設け、これら光源からの光を光学的に集光し導光する多重搬送の１本の光ファイバケーブルを設け、該光ファイバケーブルの先端から複数の異なる波長領域の合成光を投影するレンズを設けて患部に照射するというものであり、前記第１の公知技術と同様に、拡散した光で目視できない広い範囲、特に、新生児を寝かせた状態でマットなどに当接している部分までを治療するというものではないのである。
【００１２】
従って、公知技術に係る光線治療器においては、新生児の高ビリルビン血症の治療に使用できるように、目視できない身体の隠された部分まで治療できるようにすることに解決課題がある。
【課題を解決するための手段】
【００１３】
本発明は、前記課題を解決する具体的手段として、少なくとも光源と、該光源からの光をガイドする導光ロッドと、該導光ロッドの端部が臨む接続用ソケットと、前記光源を冷却する冷却ファンと、治療に必要な制御をする電子部品と、該電子部品を操作して治療内容を設定し表示できる制御表示パネルとを装備した本体部と、複数本の光ファイバーを束ねた導光部と、該光ファイバーを隣接状態に平板状に広げたパッド部とを備えた治療部とからなり、前記治療部における導光部の端部は、前記本体部の接続用ソケットに挿着可能な受光用プラグに形成し、前記パッド部に位置する光ファイバーは露光処理すると共に、透明・高柔軟な高分子ゲルを詰めた袋体で保護表層部を設けたことを特徴とする光線治療器を提供するものである。
【００１４】
本発明に係る光線治療器の発明は、前記光ファイバーは、内側がコア層で外周にクラッド層が形成された２層構造であり、前記露光処理は、クラッド層の一部を破いた構造にしたこと；前記導光部における受光用プラグの端部に透光性の断熱部材を配設したこと；及び前記パッド部には、使用時にパッドカバーを被せられること、を付加的な要件として含むものである。
【発明の効果】
【００１５】
本発明に係る光線治療器によれば、平板状に広げたパッド部の光ファイバーに露光処理して均等で効率よく光を照射できる構成にしたので、高ビリルビン血症の新生児をパッド部上に仰向けに寝かせて載置し、通常は隠れて治療できなかった背面部分に均等な光線を全面的に照射して効率よく適正に治療することができるという優れた効果を奏する。
【００１６】
また、本発明に係る光線治療器は、パッド部の上面に透明・高柔軟な高分子ゲルを詰めた袋体で保護表層部を設けたことにより、載置した新生児が動いても、保護表層部で優しく保持するので、新生児の皮膚を傷めたり褥瘡を生じさせずに治療することができるという優れた効果を奏する。
【図面の簡単な説明】
【００１７】
【図１】本発明の好ましい実施の形態に係る光線治療器における本体部と治療部とを分離して示した正面側の斜視図である。
【図２】同実施の形態に係る光線治療器において、本体部と電源コードとを分離して示した背面側の斜視図である。
【図３】同実施の形態に係る光線治療器の本体部と治療部とを接続した状態における本体部を略示的に示した断面図である。
【図４】同実施の形態に係る光線治療器の本体部における制御表示パネルを示す正面図である。
【図５】同実施の形態に係る光線治療器の治療部におけるパッド部を略示的に示した断面図である。
【図６】同実施の形態に係る光線治療器の治療部におけるパッド部を構成する光ファイバーの第１の露光処理例を示したもので、（ａ）図は一部の斜視図、（ｂ）図は一部の平面図、（ｃ）図は（ｂ）図のＡ−Ａ線に沿う拡大断面図である。
【図７】同実施の形態に係る光線治療器の治療部におけるパッド部を構成する光ファイバーの第２の露光処理例を示したもので、（ａ）図は一部の斜視図、（ｂ）図は一部の平面図、（ｃ）図は（ｂ）図のＢ−Ｂ線に沿う拡大断面図である。
【図８】同実施の形態に係る光線治療器の治療部におけるパッド部を構成する光ファイバーの第３の露光処理例を示したもので、（ａ）図は一部の斜視図、（ｂ）図は一部の平面図、（ｃ）図は（ｂ）図のＣ−Ｃ線に沿う拡大断面図である。
【図９】同実施の形態に係る光線治療器の治療部におけるパッド部を構成する光ファイバーの第４の露光処理例を示したもので、（ａ）図は一部の斜視図、（ｂ）図は一部の平面図、（ｃ）図は（ｂ）図のＤ−Ｄ線に沿う拡大断面図である。
【図１０】同実施の形態に係る光線治療器の治療部におけるパッド部に被せるパッドカバーを略示的に示した斜視図である。
【図１１】同実施の形態に係る光線治療器の治療部におけるパッド部にパッドカバーを被せる状況を示した一部拡大斜視図である。
【発明を実施するための形態】
【００１８】
本発明を図示の実施の形態に基づいて説明する。図１〜２において、本発明に係る光線治療器は、本体部１と該本体部１に接続・離脱可能な治療部２とから構成されている。
本体部１は、正面側に設けた操作部となる制御表示パネル３と、治療部２の接続用ソケット４と、該接続用ソケット４を開閉するスライド式のシャッター５とを有すると共に、両側面及び底部には換気口６を設け、上面には取っ手部７が設けられている。さらに、背面側には、冷却ファンによる送気用のフィルタ８と、電源用ソケット９とが設けられており、該電源用ソケット９には適宜の電源コード１０が接続される。
【００１９】
治療部２は、複数本の柔軟性のある光ファイバーを棒状に束ねた導光部１１と、該導光部１１からの光ファイバーを平面状に整列させて広げて新生児を乗せることができ、且つ全体がほぼ均等に発光するパッド部１２としたものである。また、導光部１１の自由端側は受光用プラグ１３の形状に形成され、該受光用プラグ１３の近傍には、光ファイバー保護のために適宜のキャップ１４が施蓋できるように設けられている。
【００２０】
本体部１は、図３に示したように、その内部に、例えば、青色発色のＬＥＤからなる光源１５を取り付けた基板１６を配設し、該光源１５の発光側、即ち、前面側に光を飛散しないようにガイドするコアクラッド仕様の導光ロッド１７が取付け部材１８を介して配設され、該導光ロッド１７の先端部は前記接続用ソケット４に臨ませてある。また、前記基板１６は光源１５の熱を放熱するための放熱部材１９に密着させて取り付けられ、該放熱部材１９の背面側に冷却・放熱用の空気を送風するための冷却用ファン２０が配設され、その他に、本体部１の機能を制御するために必要な複数の電子部品２１が搭載されている。
【００２１】
また、制御表示パネル３については、図４に示したように、ランプ（光源）時間表示灯２２、患者照射時間表示灯２３、高・中・低の調光表示部２４、調光調整ボタン２５、照射時間やメッセージ表示部２６、ランプボタン２７、患者ボタン２８、パイロットランプ２９、及び電源スイッチ３０が設けられており、前記した機能制御の電子部品２１を操作して、本体部１の機能を患者に合った適正な治療状態にセッテングし、その制御表示パネル３によって、医療関係者の誰でもが、常に患者の治療状態を目視にて確認することができるのである。
【００２２】
治療部２におけるパッド部１２は、図５に示したように、導光部１１から繋がっている複数本の光ファイバー３１（例えば、東レ製のＰＪＲ−ＦＢ５００）を平面状に広げて隣接状態に整列させて並べ、その隣接状態に並べた光ファイバー３１を接着手段３２、例えば、両面接着テープ（例えば、３Ｍ製の皮膚貼付用両面テープ１５１０）を使用して柔軟性のあるシート状の高反射部材３３（例えば、ＡＴＴ製のレイブライトＲＢ９７ＵＮ−ＢＭ）上に貼着させ、安定した状態で定着固定させる。次に、整列状態に定着させた光ファイバー３１の上面に露光処理してから、透光性の柔軟なシート材で形成した袋状カバー材３４で全体を被覆する。この場合に、透光性の柔軟なシート材として、無黄変タイプで高透明・高柔軟なウレタンシートを使用し、該ウレタンシートで中仕切りのある扁平で上下２層の袋体３４ａ、３４ｂに形成した袋状カバー材３４であり、上部の袋体３４ａには無黄変タイプで透明・柔軟なウレタンゲルまたはスチレンゲル等の高分子ゲルを詰めた保護表層部３５とし、下部の袋体３４ｂに高反射部材３３に定着固定し露光処理した光ファイバー３１を挿着収納してパッド部１２が形成される。
【００２３】
光ファイバー３１に対する露光処理としては、例えば、４通りの処理が考えられる。
その第１の露光処理については、図６（ａ）〜（ｃ）に示してある。使用される光ファイバー３１（例えば、東レ製のＰＪＲ−ＦＢ５００）は、径が０．５ｍｍで内側がコア層３１ａになっており、外側にクラッド層３１ｂが形成された２層構造を有している。そのためにビリルビン治療の際に、クラッド層３１ｂの存在によって、各光ファイバー３１から効率よい光の照射ができなかったのであるが、そのクラッド層３１ｂの一部を破く処理をすることで効率よい光を照射することができるようになったのである。その破く処理については、例えば、レーザーカットにより、整列した各光ファイバー３１のクラッド層３１ｂの一部に丸穴状破部３１ｃを列状に形成することである。この丸穴状破部３１ｃにより、コア層３１ａで導光された光が拡散して上部（外部）に照射または露光されるのであり、治療に効果的に作用するのである。なお、パッド部１２における導光部１１側（光源側）付近では光エネルギーが強く、そこから遠くなるに従って弱くなるので、導光部１１側では丸穴状破部３１ｃの列の間隔を疎に形成し、そこから遠くなるに従って密に形成することで患者への露光または照射光を均一化することができる。
【００２４】
また、第２の露光処理については、図７（ａ）〜（ｃ）に示してある。この第２の露光処理においても、前記第１の露光処理と同様に、レーザーカットにより、整列した各光ファイバー３１のクラッド層３１ｂの一部に楕円状破部３１ｄを列状に形成する。この楕円状破部３１ｄにより、コア層３１ａで導光された光の拡散が多くなって治療効果が大きくなるのである。また、前記第１の露光処理と同様に、導光部１１側では楕円状破部３１ｄの列の間隔を疎に形成し、そこから遠くなるに従って密に形成するのである。
【００２５】
第３の露光処理については、図８（ａ）〜（ｃ）に示してある。この第３の露光処理は、前記第１の露光処理における丸穴状破部３１ｃを列状に形成するのであるが、第１の露光処理と異なる点は、列の間隔を同じ間隔にし、丸穴状破部３１ｃの大きさを、導光部１１側では小さく形成し、そこから遠くなるに従って少しづつ大きく深く形成することである。このように形成することで、発光面の光を均一にすることができるのである。
【００２６】
さらに、第４の露光処理については、図９（ａ）〜（ｃ）に示してある。この第４の露光処理は、前記第２の露光処理における楕円状破部３１ｄを列状に形成するのであるが、第２の露光処理と異なる点は、上記第３の露光処理と同じように、列の間隔を同じにし、楕円状破部３１ｄの大きさを、導光部１１側では小さく形成し、そこから遠くなるに従って少しづつ大きく深く形成することである。このように形成することで、発光面の光を均一にすることができるのである。
【００２７】
このように構成された本体部１と治療部２とは、使用時に、図３に示したように、本体部１のソケット４に治療部２のプラグ１３を挿着して接続するものであり、それによって光源１５、導光ロッド１７、プラグ１３を含む導光部１１内の光ファイバー３１による光路が確立され、パッド部１２から予定した光が照射されるのである。しかしながら、光源１５のＬＥＤが発光することで発熱するが、冷却ファン２０による積極的な送気で、放熱部材１９を介してＬＥＤ自体はジャンクション許容温度（１２５℃）以下に維持されるが、照射側に位置する導光ロッド１７には、ジャンクション許容温度以上の高熱の光が照射され、その導光ロッド１７と対面するプラグ１３内の光ファイバー３１が高熱の光によって溶解し導光機能を喪失する虞がある。
従って、それを防止するために、導光ロッド１７とプラグ１３との間に耐熱ガラスなどの透光性の断熱部材３６を配設し、好ましくは、プラグ１３の端部に設けた方がメンテナンスの上で好適である。この耐熱ガラスなどの断熱部材３６の厚みは、導光機能に支障を与えないように、１〜３ｍｍ程度の範囲のものが使用される。要するに、光源１５とパッド部１２との間の光路中に断熱部材３６が配設されれば良いのである。
【００２８】
そして、実際の使用に当たっては、図１０、図１１に示したように、パッド部１２を同形状のパッドカバー３７で覆って使用する。このパッドカバー３７は、吸水性の生態適合性のある高柔軟な不織布を使用し、全体を袋状に形成すると共に、開口部側に余剰のはみ出し部３７ａ、３７ｂ、３７ｃを形成し、該はみ出し部に少なくとも３個の簡易接着手段などのファスナー３８、３９、４０を設け、該ファスナーを設けた側が裏面（下面）側になる構造である。このパッドカバー３７の取り付けは、パッド部１２を裏返しにすると共に、パッドカバー３７も裏返しにした状態で、パッドカバー３７の開口部からパッド部１２を挿着し、図９に示したように、各はみ出し部３７ａ、３７ｂ、３７ｃを矢印で示したように折り畳んで各ファスナー３８、３９、４０を裏面側に貼着して取り付ける。特に、はみ出し部３７ｃファスナー４０は導光部１１に巻き付けて取り付けるようにする。このように取り付けることでパッドカバー３７がパッド部１２に対して安定した状態に取り付けられる。なお、パッドカバー３７は、１回毎に使い捨てにするものである。
【００２９】
このようにパッド部１２にパッドカバー３７を取り付けた状態で、パッド部１２の発光面を上にして所要の場所に設置し、その上に新生児を仰向けにして寝かせ、本体部１の制御表示パネル３を操作して治療のための設定を行って作動させるものであり、パッド部１２と接触している部分を効率的に治療できるのである。この場合に、新生児が身体を動かしても、高分子ゲルを詰めた保護表層部３５は、動きに追従して変形するので新生児のデリケートな皮膚が擦れて傷付いたりまたは褥瘡などを防ぐことができるのである。
【産業上の利用可能性】
【００３０】
本発明に係る光線治療器は、少なくとも光源１５と、該光源１５からの光をガイドする導光ロッド１７と、該導光ロッド１７の端部が臨む接続用ソケット４と、前記光源１５を冷却する冷却ファン２０と、治療に必要な制御をする電子部品２１と、該電子部品を操作して治療内容を設定し表示できる制御表示パネル３とを装備した本体部１と、複数本の光ファイバー３１を束ねた導光部１１と、該光ファイバー３１を隣接状態に平板状に広げたパッド部１２とを備えた治療部２とからなり、前記治療部２における導光部１１の端部は、前記本体部１の接続用ソケット４に挿着可能な受光用プラグ１３に形成し、前記パッド部１２に位置する光ファイバー３１は露光処理すると共に、透明・高柔軟な高分子ゲルを詰めた袋体３４で保護表層部３５を設けた構成にしたので、高ビリルビン血症の新生児をパッド部１２上に仰向けに寝かせて載置し、通常は隠れて治療できなかった背面部分に均等な光線を全面的に照射して効率よく適正に治療することができるばかりでなく、載置した新生児が動いても、保護表層部で優しく保持するので、新生児の皮膚を傷めずに治療することができるので、他の治療器にも広く利用できるのである。
【符号の説明】
【００３１】
１  本体部
２  治療部
３  制御表示パネル
４  接続用ソケット
５  シャッター
６  換気口
７  取っ手部
８  フィルタ
９  電源用ソケット
１０  電源コード
１１  導光部
１２  パッド部
１３  受光用プラグ
１４  キャップ
１５  光源
１６  基板
１７  導光ロッド
１８  取付け部材
１９  放熱部材
２０  冷却用ファン
２１  電子部品
２２  ランプ（光源）時間表示灯
２３  患者照射時間表示灯
２４  高・中・低の調光表示部
２５  調光調整ボタン
２６  照射時間やメッセージ表示部
２７  ランプボタン
２８  患者ボタン
２９  パイロットランプ
３０  電源スイッチ
３１  光ファイバー
３１ａ  コア層
３１ｂ  クラッド層
３１ｃ  丸穴状破部
３１ｄ  楕円状破部
３２  接着手段（両面接着テープ）
３３  高反射部材
３４  袋状カバー材
３４ａ  上部の袋体
３４ｂ  下部の袋体
３５  保護表層部
３６  断熱部材
３７  パッドカバー
３７ａ、３７ｂ、３７ｃ  はみ出し部
３８、３９、４０  ファスナー
【図１】
2013248226.tif 000003
【図２】
2013248226.tif 000004
【図３】
2013248226.tif 000005
【図４】
2013248226.tif 000006
【図５】
2013248226.tif 000007
【図６】
2013248226.tif 000008
【図７】
2013248226.tif 000009
【図８】
2013248226.tif 000010
【図９】
2013248226.tif 000011
【図１０】
2013248226.tif 000012
【図１１】
2013248226.tif 000013